(57)【特許請求の範囲】
【請求項１】
少なくとも１種類の亜リン酸塩及び少なくとも１種類のチオ硫酸塩を含む肥料組成物。
【請求項２】
少なくとも１種類のサリチルアミドもしくはその塩又はサリチル酸もしくはその無機塩をさらに含む請求項１に記載の肥料組成物。
【請求項３】
亜リン酸塩が、アンモニウム亜リン酸塩、ナトリウム亜リン酸塩もしくはカリウム亜リン酸塩又はそれらの混合物である請求項１又は２に記載の肥料組成物。
【請求項４】
チオ硫酸塩が、アンモニウムチオ硫酸塩、ナトリウムチオ硫酸塩もしくはカリウムチオ硫酸塩又はそれらの混合物である請求項１〜３のいずれか一に記載の肥料組成物。
【請求項５】
サリチルアミド塩又はサリチル酸の無機塩が、ナトリウム塩、カリウム塩、又はその混合物である、請求項２に記載の肥料組成物。
【請求項６】
濃縮物の形状にある請求項１〜５のいずれか一に記載の肥料組成物。
【請求項７】
水溶液の形状にある請求項１〜５のいずれかに記載の肥料組成物。
【請求項８】
１５０ｇ／Ｌの亜リン酸塩、２７５ｇ／Ｌのチオ硫酸塩及び／又は１０ｇ／Ｌのサリチルアミドを含む請求項７に記載の肥料組成物。
【請求項９】
亜リン酸塩が、７５ｇ／Ｌのモノカリウム亜リン酸塩及び７５ｇ／Ｌのジカリウム亜リン酸塩を含む請求項８に記載の肥料組成物。
【請求項１０】
植物成長制御剤をさらに含む請求項１〜９のいずれか一に記載の肥料組成物。
【請求項１１】
植物成長制御剤がクロロメクアットである請求項１０に記載の肥料組成物。
【請求項１２】
請求項１〜１１のいずれか一に記載の肥料組成物を植物又はその環境に適用することを含む植物に施肥する方法。
【請求項１３】
亜リン酸塩が、１５０ｇ／ｈａ〜２ｋｇ／ｈａで適用される請求項１２に記載の方法。
【請求項１４】
チオ硫酸塩が２５０ｇ／ｈａ〜６ｋｇ／ｈａで適用される請求項１２又は１３に記載の方法。
【請求項１５】
少なくとも１種類のサリチルアミドもしくはその塩又はサリチル酸もしくはその無機塩が１ｇ／ｈａ〜１００ｇ／ｈａで適用される、請求項１２〜１４のいずれかに記載の方法。
【請求項１６】
植物の成長を促進するための請求項１〜１１のいずれか一に記載の肥料組成物の使用。
【請求項１７】
寄生性真菌を制御するための請求項１〜１１のいずれか一に記載の肥料組成物の使用。
【発明の詳細な説明】
【０００１】
本発明は施肥及び抗真菌作用を有する新規組成物、それらを調製する工程、及びそれらを使う植物の発達を促し且つ真菌を抑制する方法に関する。
【０００２】
リンは植物に必要とされる必須主要素の一つであり、そして通常はリン酸塩及び／又はポリリン酸塩の形で植物に供給される。リン酸塩はリン酸（式Ｈ3ＰＯ4及び分子量９８を有する）の塩である。最近、植物がホスホン酸（亜リン酸とも称される）（式Ｈ3ＰＯ3と分子量８２を有する）の塩であるホスホン酸塩（亜リン酸エステルとも称されることもある）からリンを得ることができるが示された。例えばＬｏｖａｔｔの米国特許第５，５１４，２００号及び第５，８３０，２５５号；Ｈｓｕの米国特許第５，７０７，４１８号；Ｔａｙｌｏｒの米国特許第５，８００，８３７号を参照。これらは植物用肥料として好適な亜リン酸又はホスホン酸塩を含む処方を記述している。また。ホスホン酸塩化合物が抗真菌剤としても、特に真菌生物が藻菌類又は卵菌類である場合に有用であることも示されている。例えば、Ｔｈｉｚｙの米国特許第４，０７５，３２４号及び第４，１１９，７２４号；Ｌａｃｒｏｉｘらの米国特許第４，１３９，６１６号；Ｈｏｒｒｉｅｒｅらの米国特許第４，６９８，３３４号、第４，８０６，４４５号及び第５，１６９，６４６号；Ｂａｒｔｌｅｔらの米国特許４，９３５，４１０及び第５，０７０，０８３号；Ｔａｙｌｏｒの米国特許第５，７３６，１６４号を参照。これらは植物に好適な抗菌剤として、亜リン酸又はホスホン酸塩を含む処方を記載している。
【０００３】
アンモニウムチオ硫酸塩及びカリウムチオ硫酸塩は長い間、単独又は他液体肥料成分と混合して肥料として使用されている。Ｔｅｓｓｅｎｄｅｒｌｏ  Ｋｅｒｌｅｙにより作られた「Ｔｈｉｏｌ−ｓｕｌ」（登録商標）及びＫＴＳ（登録商標）イオウ肥料に関する文献を参照。また植物増殖促進剤中のアンモニウムチオ硫酸塩の使用を記述しているＳａｍｐｓｏの英国特許第ＧＢ２，２５９，９１２号も参照。
【０００４】
ＷＰＩ抄録受付番号９１−２４９４２１は、安定化剤として亜リン酸エステル（３０〜３００重量部）が加えられる水溶性銀塩（１００重量部）及びチオ硫酸塩（３００〜２５００重量部）を含む切り花保存剤を開示している。
【０００５】
従来技術に伴う問題の幾つかは、ホスホン酸塩の発達促進効果が加えられたリンの量から期待されるものより小さいこと、及び抗真菌作用が及ぶ病原菌のタイプが強く限定されることである。これは、幾つかの静真菌作用と天然の植物防御の組み合わせを含む作用の複雑な様式に拠る（Ｇｕｅｓｔ  Ｄ  ＩとＧｒａｎｔ  Ｂ  Ｒ（１９９１）−植物に於けるホスホン酸塩の複合作用（Ｔｈｅ  Ｃｏｍｐｌｅｘ  ａｃｔｉｏｎ  ｏｆ  ｐｈｏｓｐｈｏｎａｔｅｓ  ｉｎ  ｐｌａｎｔｓ）−Ｂｉｏｌｏｇｉｃａｌ  Ｒｅｖｉｅｗｓ  ６６，１５９−１８７参照）  。べと病（例えばＰｌａｓｍｏｐｏｒａ）やフィトフトーラ（Ｐｈｙｔｏｐｈｔｈｏｒａ）病に対する植物の抵抗性は改善されているものの、ホスホン酸塩の利用は子嚢菌（例えばＥｒｙｓｉｐｈｅ）感染のリスクを高める傾向を有する。本発明はこれら問題の解決を提要することを目的としている。
【０００６】
本発明の観点の１つによれば、少なくとも１のホスホン酸塩と少なくとも１のチオ硫酸塩を含む肥料組成物が提供される。
【０００７】
本発明の別の観点によれば、少なくとも１のホスホン酸塩と、少なくとも１のサリチル酸、その相同体、誘導体又は塩を含む肥料組成物が提供される。
【０００８】
本発明のさらに別の観点によれば、少なくとも１のチオ硫酸塩と、少なくとも１のサリチル酸、その相同体、誘導体又は塩を含む肥料組成物が提供される。
【０００９】
本発明の別の観点によれば、少なくとも１のチオ硫酸塩と、少なくとも１のホスホン酸塩、及び少なくとも１のサリチル酸、その相同体、誘導体又は塩を含む肥料組成物が提供される。
【００１０】
本発明は、ホスホン酸塩を、チオ硫酸塩又は少なくとも１のサリチル酸、その相同体、誘導体又は塩のいずれかとの混合物を利用することを含む。この組合せの使用は、ホスホン酸塩とチオ硫酸塩又はサリチル酸、その相同体、塩又は誘導体との組合せが、個々の成分を別々に使用した場合に比べより強い施肥効果と殺真菌効果を生ずる相乗効果を示す。３種類全て（即ちホスホン酸塩、チオ硫酸塩及びサリチル酸、その相同体、塩又は誘導体）を一緒に使用した場合、よりいっそう強い効果を示す。ホスホン酸塩が無い状態での、チオ硫酸塩とサリチル酸、その相同体、塩又は誘導体との組合せもまた施肥効果と殺真菌効果を生ずる。
【００１１】
本発明に基づく肥料は、ホスホン酸塩又はチオ硫酸塩単独に比べより大きな成長有効反応をもたらし、殺真菌性の予防又は抵抗性の強さはホスホン酸塩又はチオ硫酸単独の場合に得られるものに比べより広範囲である。本発明により処理された植物は、例えばホスホン酸塩単独で処理された植物に比べ藻菌類病（例えばｐｈｙｔｏｐｈｔｈｏｒａｓ及びべと病）に罹りにくく、又うどん粉病の様な他寄生性真菌類にも罹りにくくなる。即ち、本発明は、効果的な殺真菌剤と同時に効果的な肥料でもある単独産物を植物に作用させるための手段を提供する。
【００１２】
本発明の別の利点は、処方が極めて保存安定的であり、例えば１年以上保存されたカリウムホスホン酸塩とアンモニウムチオ硫酸塩の混合物に関する試験は、ホスホン酸塩のリン酸塩への酸化が起きていないことを示しており、保存物質に濁り又は沈殿の徴候を示さしていない。安定した溶液をえるために緩衝剤としての別種有機酸の使用（米国特許第５，５１４，２００号及び第５，８３０，２２５号に求められる様な）も必要ない。
【００１３】
「ホスホン酸塩(phosphonate)」とはホスホン酸（Ｈ3ＰＯ3）の塩を意味する。ホスホン酸塩は３価  ＰＯ3ラジカルを含む。混乱を避けるために、ホスホン酸は時に亜リン酸と称され、その塩は亜リン酸エステルと称される。ホスホン酸塩の混合物も利用できるだろう。
【００１４】
ホスホン酸塩はこれら塩を形成する金属イオン又はその他陽イオンである。ホスホン酸は塩のモノ及びジ系列を形成するＰ−Ｈ結合を有する。モノ塩及びジ塩、及びその混合物が本発明に利用できるだろう。好ましくは、ホスホン酸塩はアンモニウムホスホン酸塩又はアルカリホスホン酸塩である。アルカリホスホン酸塩にあっては、ナトリウム又はカリウムホスホン酸塩が好ましい。カリウムホスホン酸塩が特にモノカリウムホスホン酸塩及び／又はジカリウムホスホン酸塩（それぞれＫＨ3ＰＯ3、Ｋ2ＨＰＯ3）の形状が特に好ましい。
【００１５】
ホスホン酸塩はホスホン酸をアルカリで中和することで産生できる。本発明は引き続きそのホスホン酸塩に変換されるホスホン酸の使用も包含している。本変化はin situ又はex situで起こるだろう。例えば中和に水酸化カリウムを使用する場合、ホスホン酸に対する水酸化カリウムのモル比に依存し、ホスホン酸塩液は各種量のジカリウムホスホン酸塩、モノカリウムホスホン酸塩及び非反応型ホスホン酸を含むだろう。我々は、ｐＨ６．７から７．３を有し、ほぼ当量のモノ及びジカリウムホスホン酸塩を含む約４２％ｗ／ｗの溶液が、本発明に適した透明、無色の非常に安定した出発材料になることを見いだした。
【００１６】
チオ硫酸塩は金属又はその他陽イオンの好適塩である。好ましくは、チオ硫酸塩はアンモニウム、ナトリウム、又はカリウムチオ硫酸塩又はその混合物である。より好ましくはチオ硫酸塩はアンモニウム又はカリウムチオ硫酸塩（（ＮＨ4）2Ｓ2Ｏ3又はＫ2Ｓ2Ｏ3）の形状である。
【００１７】
チオ硫酸塩の最適形状はアンモニウムチオ硫酸塩であり、これはｐＨ約７．５の比重約１．３２の６０％ｗ／ｗ溶液として既に市販されている。最終の葉用肥料に必要とされるカリウムの割合がより高い場合には、アンモニウムチオ硫酸塩は部分的又は全面的にカリウムチオ硫酸塩に交換される。
【００１８】
本発明は、サリチル酸及びその塩の機能的相同体及び誘導体を含む。これは、機能的相同体又は誘導体が施肥効果及び／又は抗真菌効果を提供できることを意味している。サリチル酸のこの様な誘導体の例は、サリチルアミド又はその塩、及びエステルを含む。
【００１９】
サリチル酸の相同体の例には、安息香酸、またはその塩あるいはエステルの様な誘導体が含まれる。本発明に使用しうる安息香酸化合物の例は、ＷＯ９９／２５１９１号に見ることができるだろう。
【００２０】
サリチル酸は好ましくはカリウムサリチル酸塩またはサリチルアミド−Ｃ7Ｈ5ＫＯ3又はＣ7Ｈ7ＮＯ2の形状にある。
【００２１】
サリチル酸自体は低溶解性であるが、ナトリウム又はカリウムサリチル酸の様なサリチル酸の無機塩は易溶解性である。サリチル酸またはサリチル酸塩ではなくサリチルアミドを使用する場合、アルカリを数滴加えると例えばナトリウムサリチルアミド又はカリウムサリチルアミドが形成されることにより、溶解に役立つ。サリチルアミドの場合も、少量のアルカリ又はアンモニアがチオ硫酸塩溶液中に存在すると溶解を助け、チオ硫酸塩溶液に溶解し易くなる。
【００２２】
本発明に使用される化合物の調製は当分野で良く知られている。化合物はin situ又はex situでも調製されるだろう。
【００２３】
実施態様の一つでは、本発明の組成物は水溶性銀塩を含まない。別の実施態様では、組成物が重量部１００の水溶性銀及び重量部３００〜２５００のチオ硫酸塩の溶液を含む場合、ホスホン酸塩の量は３０ないし３００重量部以外である。
【００２４】
発明の組成物は肥料として、特に葉用肥料として有用である。より具体的には、発明の組成物は個別の成分単独時に比べ植物の生長を増加し、植物の成長、植物の活力を促進し、及び／又は例えば塊茎枯れを少なくすることで穀物収穫量に影響する。
【００２５】
本発明の組成物はまた抗真菌作用も有する。作用は殺真菌又は静真菌効果であろう。本発明の組成物は寄生性真菌に対し活性を有するだろう。組成物はｐｈｙｔｏｐｈｔｈｏｒａｓな藻菌類病、例えば子嚢菌類の様なＰｌａｓｍｏｐｏｒａの様なべと病、及び／又は子嚢菌類、例えばＥｒｙｓｉｐｈｅ（ウドンコカビ）の様なもの対する活性を有するだろう。
【００２６】
特に好ましい実施態様の一つでは、組成物は更に植物成長制御剤を含む。好ましくは植物成長制御剤はクロルメクアットである。植物又は植物の環境に対し組成物を適用するためには、組成物は濃縮物として利用されるか、又はより一般的には本発明の組成物の有効量を好適な不活性希釈剤、キャリアー物質及び／又は界面活性剤と共に含む組成物に処方される。好ましくは、組成物は濃縮物から調製される水溶液の形状である。有効量とは、組成物（及び／又はその個別成分）が施肥及び／又は抗真菌効果を提供することを意味する。好ましくは、成分の有効量は約４Ｍホスホン酸塩から約５Ｍのチオ硫酸塩及び／又は約０．８Ｍのサリチル酸塩までの濃度である。即ち、実施態様の一つでは、濃縮物は約１０Ｍまでの成分を含むだろう。濃縮処方体は、例えば水に対する濃縮物の割合が約１：４０ないし１：６００に希釈され、一般にｐＨが６．５ないし８．５になるよう処方されるだろう。１：４０の希釈では、約１０Ｍの濃縮物は約０．２５Ｍの応用濃縮物になる。
【００２７】
利用の割合とタイミングは、種のタイプ等、当業者既知の複数の因子に依存するだろう。
【００２８】
組成物は一般に０．０１ないし１０ｋｇ／ヘクタール、好ましくは０．１ないし６ｋｇ／ヘクタールの量で使用される。好ましくはホスホン酸塩は１５０ｇ／ｈａないし２ｋｇ／ｈａで適用される。好ましくはチオ硫酸塩は２５０ｇ／ｈａないし６ｋｇ／ｈａで適用される。好ましくは、サリチル酸、その相同体、誘導体又は塩は１ｇ／ｈａないし１００ｇ／ｈａで適用される。
【００２９】
好適実施態様の一つでは、本発明による肥料組成物は約１５０ｇ／Ｌのホスホン酸塩、約２７５ｇ／Ｌのチオ硫酸塩及び／又は１０ｇ／Ｌのサリチルアミドを含む。好ましくは、ホスホン酸塩は約７５ｇ／Ｌのモノカリウムホスホン酸塩及び約７５ｇ／Ｌのジカリウムホスホン酸塩を含む。
【００３０】
一緒に混合する各化合物の量を変えると共に、多くの葉用肥料で一般的である様な鉄、銅、ホウ素及びモリブデン（微量要素として知られることが多い）の様な他肥料要素を最終溶液中に組み込むこともできるが、これらに限定されるものではない。これらは可溶性無機化合物（例えばホウ酸ナトリウム、又はモリブデンナトリウム）又はキレート体（例えば銅ＥＤＴＡ）、もしくはその他金属錯体として加えられるだろう。
【００３１】
本発明の組成物は、土壌、植物、種、又はその他保護対象域に対し適用できるだろう。好ましくは、本発明は植物の葉に適用されるだろう。組成物は粉剤、湿潤粉、顆粒（遅延型又は迅速型放出）、乳液又は懸濁液濃縮物、液体、乳液、種様肥料、又はマクロカプセル封入顆粒又は懸濁液の様な放出コントロール型処方体、土壌浸漬液、灌水成分、又は好ましくは葉用スプレーの形で適用されるだろう。
【００３２】
粉剤は活性成分を１またはそれ以上の微砕化固形キャリアー及び／又は希釈剤、例えば天然粘土、カオリン、ピロフィルライト、ベントナイト、アルミナ、モンモリロナイト、キースラガー、チョーク、珪藻土、リン酸カルシウム、炭酸カルシウム及びマグネシウム、硫黄、ライム、小麦、タルク、その他有機及び無機固形キャリアーと混合することで処方される。
【００３３】
顆粒は活性成分を多孔質材料、例えば軽石、アタバルジャイト粘土、フラーズアース、キースラガー、珪藻土、挽いたトウモロコシの穂軸等に吸収させるか、又は例えば砂、ケイ酸塩、炭酸ミネラル塩、硫酸塩、リン酸塩等の固形核物質上に吸着させ、形成される。固形キャリアーへの含浸、結合又はコーティングの補助に一般に使用される作用物質には、活性成分と共に脂肪族及び芳香族石油溶媒、アルコール、ポリビニルアセテート、ポリビニルアルコール、エーテル、ケトン、エステル、デキストリン、糖及び植物油が含まれる。その他添加物としては、乳化剤、湿潤剤、又は分散剤のようなものが含まれるだろう。
【００３４】
マイクロカプセル封入処方体（マイクロカプセル懸濁剤ＣＳ）またはその他放出コントロール型処方体も利用でき、特に一定時間をかけた遅い放出、及び種処理に関し利用できるだろう。
【００３５】
あるいは、組成物は浸漬剤、灌水添加物又はスプレーの様な液体製剤の形であっても良く、これらは一般に１またはそれ以上の既知湿潤剤、分散剤又は乳化剤（界面活性剤）が存在する状態の活性成分の水性分散体又は乳剤である。水性分散剤又は乳剤の形で利用される組成物は、一般に高い割合で１活性成分又は複数活性成分を含んでいる乳化可能な濃縮物（emulsifiable concentrate; ＥＣ）又は懸濁濃縮剤（suspension concentrate; ＳＣ）の形で供給される。ＥＣは、通常は本質的に非揮発性である有機溶媒中に溶解された活性成分を含んでいる均質な液体組成物である。ＳＣは固形活性成分の水中微粒子分散体である。濃縮物を適用するには、それらは水に希釈され、通常はスプレー手段により処理対象域に適用される。
【００３６】
ＥＣに好適な液性溶媒はメチルケトン、メチルイソブチルケトン、シクロヘキサノン、キシレン、トルエン、クロロベンゼン、パラフィン、ケロセン、白油、アルコール（例えばブタノール）、メチルナフタレン、トリメチルベンゼン、トリクロロエチレン、Ｎ−メチル−２−ピロリドン及びテトラヒドロフルフリルアルコール（ＴＨＦＡ）が含まれる。
【００３７】
これら濃縮物はしばしば長期間の保存に耐えること、そしてその様な保存後にも水により希釈され、十分な時間均一性を保ち通常のスプレー装置により適用可能である水性調剤を形成できることが求められる。濃縮物は重量１〜８５％の１活性成分または複数の活性成分を含むだろう。希釈して水性調剤を形成する場合、この様な調剤はそれらが利用される目的に応じた各種量の活性成分を含むだろう。
【００３８】
組成物は種処理に関し、粉末（乾燥種処理剤ＤＳ又は水分散粉末剤ＷＳ）または液体（流動性濃縮物ＦＳ、液体種処理剤ＬＳ）、あるいはマイクロカプセル懸濁剤ＣＳとしても処方してもよいだろう。処方は通常の技術及び通常の種処理装置により種に適用できる。使用に当たっては、組成物は植物に、植物の局所に、肥料組成物の適用に関する既知方法のいずれか、例えば粉付け、スプレー、又は顆粒の取り込みにより適用される。
【００３９】
最終溶液が植物に適用される場合、それらが有毛又は蝋質表面のため湿潤させることが難しく、一般に農薬化学工業にて既知である表面活性剤、湿潤剤、展着剤及びステッカーの様なその他添加物を含めることも有益である。（湿潤剤の例にはシリコン性界面活性剤、アルキルエトキシレートの様な非イオン性界面活性剤、リン酸エステル塩の様な陰イオン性界面活性剤及び脂肪酸アミドアルキルベタインの様な両性又は陽イオン性界面活性剤が含まれる）。
【００４０】
上記の如く、発明の化合物は組成物の唯一の活性成分でもよく、または適当な線虫駆除剤、殺虫剤、相乗剤、除草剤、追加抗真菌剤、追加肥料又は植物成長制御剤の様な追加の活性成分の１またはそれ以上と混合してもよい。
【００４１】
上記の如く、本発明により産生される肥料は通常は植物の葉に適用されるが、土壌に適用しても、または灌水に加えても良い。肥料は穀類、マメ科植物、アブラナ科植物、ウリ科植物、根菜、サトウ大根、ブドウ、柑橘類及びその他果樹及び小果実を含む多くのタイプの農業及び園芸穀物に有益に利用できるが、これらに限定されるわけではない。より具体的には、本肥料より利益を受ける穀物にはエンドウ豆、脂肪種子ナタネ、ニンジン、春オオムギ、アボガド、柑橘類、マンゴ、コーヒー、落葉性果実、ブドウ、イチゴ及びその他ベリー類、ダイズ、ソラマメ及びその他商業用の豆、トウモロコシ、トマト、キュウリ及びその他ウリ科植物、レタス、ジャガイモ、サトウ大根、コショウ、サトウキビ、ホップ、タバコ、パイナップル、ココナッツ椰子及びその他商業用及び観賞用椰子、ゴム及びその他観賞用植物が含まれるが、これらに限定されない。
【００４２】
発明の様々な更に好ましい特徴及び発明の実施態様を以下非限定的実施例を参照しながら記述する。
【００４３】
例１
溶液１
合計３０重量％のモノカリウムホスホン酸塩及びジカリウムホスホン酸塩をほぼ当量の割合で含む水溶液。
溶液２
アンモニウムチオ硫酸塩（「ＡＴＳ」）５５重量％を含む水溶液。
溶液３
１リットル当たり２０グラムのカリウムサリチルアミドを含む水溶液。
溶液４
７５ｇ／Ｌのモノカリウムホスホン酸塩、７５ｍｇ／Ｌのジ−カリウムホスホン酸塩、２７５ｇ／Ｌのアンモニウムチオ硫酸塩及び１０ｇ／Ｌのカリウムサリチルアミドを含む水溶液。
【００４４】
これら溶液をレタスに単独及び組合せて作用し、その適用を１０日間隔で繰り返した。各処理について５回繰り返し、その結果は５回の平均として表される。５株の植物を他の処理に対する未処理コントロールとしてスプレーせずに放置した。８、１２、１６及び２１日後に、植物を病気に関し調べた。
【００４５】
【表１】
0004680391.tif 000002
【００４６】
表１は溶液１及び２（ホスホン酸塩＋ＡＰＳ）を加えた場合、及び溶液１と３（ホスホン酸塩＋サリチルアミド）に達成された病気レベルに及ぼす相乗効果、及び三溶液全てをまとめ利用した場合の更なる効果について示している。病気レベルは平均７．２から平均５．６に減少した。病気レベルの評価に加え、植物の生長についても３５日栽培後の平均植物直径を測定すること、及び地上部の平均新鮮及び乾燥重量を測定することで評価した。
【００４７】
【表２】
0004680391.tif 000003
【００４８】
表２は溶液１と２（ホスホン酸塩＋ＡＴＳ）、溶液１と３（ホスホン酸塩＋サリチルアミドを加えることによる植物成長に対する相乗効果及び、三溶液全てをまとめた場合の更なる効果を示す。
【００４９】
以下例Ａ〜Ｅに使用される略語
Ａ＝ホスホン酸塩＋チオ硫酸塩
Ｂ＝ホスホン酸塩＋サリチル酸塩／サリチルアミド
Ｃ＝チオ硫酸塩＋サリチル酸塩／サリチルアミド
Ｄ＝チオ硫酸塩＋サリチル酸塩／サリチルアミド＋亜リン酸エステル
Ｅ＝チオ硫酸塩＋サリチル酸塩＋クロロメクアット(chlormequat)
ＫＰ４０＝４０％カリウムホスホン酸塩
ＫＴ４７＝４７％カリウムチオ硫酸塩（ｗ／ｖ）
ＫＳ２０＝２０％カリウムサリチル酸塩（ｗ／ｖ）
ＣＳ８＝サリチルアミド（２０ｇ／Ｌ）
ＡＴ６０＝６０％アンモニウムチオ硫酸塩
ＰＦ７２３＝５５％アンモニウムチオ硫酸塩
【００５０】
例Ａ
溶液Ｉ＝１０日毎、０．７５ｌ／ｈａのＫＰ４０
溶液２＝１０日毎、１．０ｌ／ｈａのＰＦ７２３
【００５１】
【表３】
0004680391.tif 000004
【００５２】
【表４】
0004680391.tif 000005
【００５３】
【表５】
0004680391.tif 000006
【００５４】
【表６】
0004680391.tif 000007
【００５５】
【表７】
0004680391.tif 000008
【００５６】
【表８】
0004680391.tif 000009
【００５７】
【表９】
0004680391.tif 000010
【００５８】
【表１０】
0004680391.tif 000011
【００５９】
例Ｂ
溶液１＝０．７５Ｌ／ｈａのＫＰ４０
溶液３＝１．０Ｌ／ｈａのＳＣ８
【００６０】
【表１１】
0004680391.tif 000012
【００６１】
【表１２】
0004680391.tif 000013
【００６２】
【表１３】
0004680391.tif 000014
【００６３】
【表１４】
0004680391.tif 000015
【００６４】
【表１５】
0004680391.tif 000016
【００６５】
【表１６】
0004680391.tif 000017
【００６６】
【表１７】
0004680391.tif 000018
【００６７】
例Ｃ
溶液２＝１０日毎、１．０Ｌ／ｈａのＰＦ７２３
溶液３＝１０日毎、１．０Ｌ／ｈａのＳＣ８
【００６８】
【表１８】
0004680391.tif 000019
【００６９】
【表１９】
0004680391.tif 000020
【００７０】
【表２０】
0004680391.tif 000021
【００７１】
【表２１】
0004680391.tif 000022
【００７２】
【表２２】
0004680391.tif 000023
【００７３】
【表２３】
0004680391.tif 000024
【００７４】
【表２４】
0004680391.tif 000025
【００７５】
【表２５】
0004680391.tif 000026
【００７６】
【表２６】
0004680391.tif 000027
【００７７】
【表２７】
0004680391.tif 000028
【表２７（つづき）】
0004680391.tif 000029
【００７８】
【表２８】
0004680391.tif 000030
【００７９】
【表２９】
0004680391.tif 000031
【００８０】
実施例Ｅ
【表３０】
0004680391.tif 000032
【００８１】
【表３１】
0004680391.tif 000033
【００８２】
以下は本発明による処方組成物の非限定的な例を示す。
【表３２】
0004680391.tif 000034
【００８３】
【表３３】
0004680391.tif 000035